【手続補正書】
【提出日】平成20年3月7日(2008.3.7)
【手続補正１】
【補正対象書類名】特許請求の範囲
【補正対象項目名】全文
【補正方法】変更
【補正の内容】
【特許請求の範囲】
【請求項１】
画像データを有するテレビジョン信号であって、前記画像データにノイズを付加するために利用されるランダム値の決定的なシーケンスを導出する疑似ランダム発生器を始動するために利用可能な所定のシードを更に有するテレビジョン信号を含むデータ担体。
【請求項２】
前記信号は、画像の群のそれぞれに対する幾つかのシードを有する、請求項１に記載のデータ担体。
【請求項３】
前記信号は、少なくとも１つの画像について、前記少なくとも１つの画像の種々の空間的な領域のそれぞれに対するノイズを生成するために利用可能な幾つかのシードを有する、請求項１に記載のデータ担体。
【請求項４】
前記信号は、前記疑似ランダム発生器のアルゴリズムを調節するための係数を更に有する、請求項１乃至３のいずれか一項に記載のデータ担体。
【請求項５】
前記信号は、サポートされる複数の疑似ランダム発生器のうち特定の１つを示すランダム発生器タイプインジケータを更に有する、請求項１乃至４のいずれか一項に記載のデータ担体。
【請求項６】
前記信号は、少なくとも２つのシード選択肢を有し、第１のシード選択肢が、サポートされる第１の疑似ランダム発生器に対して利用され、又は代替として、第２のシード選択肢が、サポートされる第２の疑似ランダム発生器に対して利用される、請求項１又は５に記載のデータ担体。
【請求項７】
前記信号は、前記画像データを圧縮された形態で有する、請求項１乃至６のいずれか一項に記載のデータ担体。
【請求項８】
前記信号は、前記画像データを高度ビデオ圧縮により圧縮された形態で有する、請求項７に記載のデータ担体。
【請求項９】
blue-rayディスク規格による請求項１乃至８のいずれか一項に記載のデータ担体。
【請求項１０】
画像データを有するテレビジョン信号であって、前記画像データにノイズを付加するために利用されるランダム値の決定的なシーケンスを導出する疑似ランダム発生器を始動するために利用可能な所定のシードを更に有するテレビジョン信号を受信するように構成された信号処理ユニットであって、
前記テレビジョン信号中の画像データからデータ画像要素を抽出し、前記テレビジョン信号からシードを抽出するように構成された抽出手段と、
前記シードに基づいてノイズ画像要素の疑似ランダムノイズシーケンスを生成するように構成された疑似ランダム発生器と、要素毎に前記ノイズ画像要素を前記データ画像要素に付加し、表示されるべき出力画像信号を導出するように構成された付加手段とを有するビデオ処理手段と、
を有する信号処理ユニット。
【請求項１１】
画像の群のそれぞれに対する幾つかのシードを有している前記テレビジョン信号を処理するように更に構成された請求項１０に記載の信号処理ユニットであって、前記抽出手段が、連続する時点について新たなシードを抽出するように構成され、前記疑似ランダム発生器が、前記新たなシードに対して疑似ランダムノイズシーケンスの生成をリスタートするように構成された信号処理ユニット。
【請求項１２】
少なくとも１つの画像について、前記少なくとも１つの画像の種々の空間的な領域のそれぞれに対するノイズを生成するために利用可能な幾つかのシードを有する前記テレビジョン信号を処理するように更に構成された請求項１０に記載の信号処理ユニットであって、前記抽出手段が、画像に対して幾つかのシードを抽出するように構成され、前記疑似ランダム発生器が、前記幾つかのシードのそれぞれに対応する疑似ランダムノイズシーケンスを生成するように構成され、前記ビデオ処理手段が、前記画像の種々の領域のそれぞれに対して、種々の前記シードに基づいてノイズ画像要素を付加するように構成された信号処理ユニット。
【請求項１３】
前記疑似ランダム発生器のアルゴリズムを調節するための係数を更に有する前記テレビジョン信号を処理するように更に構成された請求項１０に記載の信号処理ユニットであって、前記抽出手段が、係数を抽出するように更に構成され、前記疑似ランダム発生器が、前記係数に基づいて疑似ランダムノイズシーケンスを生成するようにアルゴリズムを適合させるように構成された信号処理ユニット。
【請求項１４】
サポートされる複数の疑似ランダム発生器のうち特定の１つを示すランダム発生器タイプインジケータを更に有する前記テレビジョン信号を処理するように更に構成された請求項１０に記載の信号処理ユニットであって、前記抽出手段が、ランダム発生器タイプインジケータを抽出するように更に構成され、前記ビデオ処理手段が、前記タイプインジケータに応じて、サポートされる幾つかのランダム発生アルゴリズムのうち特定のものを選択するように構成された信号処理ユニット。
【請求項１５】
請求項１乃至９の何れか一項に記載のデータ担体を入力するためのデータ担体入力ユニットであって、画像データを有するテレビジョン信号であって、前記画像データにノイズを付加するために利用されるランダム値の決定的なシーケンスを導出する疑似ランダム発生器を始動するために利用可能な所定のシードを更に有するテレビジョン信号を前記データ担体から抽出することが更に可能なデータ担体入力ユニットと、
出力画像信号を供給するように構成された、請求項１０乃至１４のいずれか一項に記載の信号処理ユニットと、
生成されたノイズを含む前記出力画像信号をディスプレイに転送するように構成されたテレビジョン信号出力部と、
を有するディスク読み取り装置。
【請求項１６】
画像データを有するテレビジョン信号であって、前記画像データにノイズを付加するために利用されるランダム値の決定的なシーケンスを導出する疑似ランダム発生器を始動するために利用可能な所定のシードを更に有するテレビジョン信号を、テレビジョンデータ源への有線又は無線接続から受信するように構成された受信ユニットと、
前記受信ユニットから前記テレビジョン信号を受信し、生成されたノイズを含む出力画像信号を供給するように構成された、請求項１０乃至１４のいずれか一項に記載の信号処理ユニットと、
を有するテレビジョン信号受信システム。
【請求項１７】
出力画像信号を供給する方法であって、
画像データを有するテレビジョン信号であって、前記画像データにノイズを付加するために利用されるランダム値の決定的なシーケンスを導出する疑似ランダム発生器を始動するために利用可能な所定のシードを更に有するテレビジョン信号を受信するステップと、
前記テレビジョン信号中の画像データからデータ画像要素を抽出するステップと、
前記テレビジョン信号からシードを抽出するステップと、
前記シードに基づいてノイズ画像要素の疑似ランダムノイズシーケンスを生成するステップと、
要素毎に前記ノイズ画像要素を前記データ画像要素に付加し前記出力画像信号を導出するステップと、
を有する方法。
【請求項１８】
プロセッサが請求項１７に記載の方法を実行できるようにするコードを有するコンピュータプログラム。
【請求項１９】
画像データを有するテレビジョン信号であって、前記画像データにノイズを付加するために利用されるランダム値の決定的なシーケンスを導出する疑似ランダム発生器を始動するために利用可能な所定のシードを更に有するテレビジョン信号にシードを組み込む方法であって、
Ｓ１）データ画像要素をフェッチするステップと、
Ｓ２）少なくとも１つの選択されたシードについてノイズ画像要素を生成するステップと、
Ｓ３）前記データ画像要素に前記ノイズ画像要素を付加し出力画像信号を導出するステップと、
Ｓ４）人間のオペレータにより、又は予めプログラムされた発見的方法を適用する所定の品質決定方法によってノイズの前記付加を自動的に解析することにより、合格又は不合格に等しい決定出力を導出して、前記出力画像信号を解析するステップと、
Ｓ５）前記決定出力が合格に等しい場合は、現在の選択され解析されたシードを前記テレビジョン信号に自動的に組み込み、前記決定出力が不合格に等しい場合は、新たに選択されたシードを用いて前記ステップＳ２へと継続するステップと、
を有する方法。